(57)【特許請求の範囲】
【請求項１】
少なくとも偏心光学系を有し、物体からの光を撮像素子面上に結像させる結像光学系において、
前記偏心光学系はプリズムで構成され、
前記プリズムの光学面が第１透過面、第２透過面、第１反射面及び第２反射面からなり、
前記物体からの光が、前記第１透過面、前記第１反射面、前記第２反射面、前記第２透過面の順に進行すると共に、前記第１透過面から前記第１反射面に到る光路と、前記第２反射面から前記第２透過面に到る光路が交差するように、前記各光学面が形成され、
前記第１反射面、前記第２反射面及び前記第２透過面を自由曲面で構成し、前記第１透過面を前記物体側に向かって凹形状の球面で構成し、
前記第１透過面よりも前記物体側、あるいは前記第１反射面の位置に絞りが配置され、
前記自由曲面は、その面内及び面外共に回転対称軸を有せず、しかも、対称面を１つのみ有する面対称自由曲面からなり、
前記面対称自由曲面の対称面が、物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、Ｙ−Ｚ面若しくはそれと平行な面上に存在することを特徴とする結像光学系。
【請求項２】
物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする請求項１記載の結像光学系。
｜ＤＸmax1｜＜１００．０  （ｍｍ）                ・・・（１−１）
ただし、ＤＸmax1＝ＭＡＸ（（ＤＸ−ＤＸaxis）／ＲＸ）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向と直交する方向に当たるＸ軸について面の形状を定義する式を１回微分した値をそれぞれＤＸaxis、ＤＸ１、ＤＸ４、ＤＸ５、ＤＸ６、ＤＸ３とするとき、ＤＸはＤＸ１、ＤＸ４、ＤＸ５、ＤＸ６、ＤＸ３の値、ＲＸは前記反射面に前記軸上主光線が当たる部分のＸ方向の曲率とする。
【請求項３】
物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする請求項１記載の結像光学系。
｜ＤＹmax2｜＜１００．０  （ｍｍ）                ・・・（２−１）
ただし、ＤＹmax2＝ＭＡＸ（（ＤＹ−ＤＹaxis）／ＲＹ）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向に当たるＹ軸について面の形状を定義する式を１回微分した値をそれぞれＤＹaxis、ＤＹ１、ＤＹ４、ＤＹ５、ＤＹ６、ＤＹ３とするとき、ＤＹはＤＹ１、ＤＹ４、ＤＹ５、ＤＹ６、ＤＹ３の値、ＲＹは前記反射面に前記軸上主光線が当たる部分のＹ方向の曲率とする。
【請求項４】
物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする請求項１記載の結像光学系。
｜ＤＸ3 ｜＜０．４                                ・・・（３−１）
ただし、ＤＸ3 ＝（ＤＸ４−ＤＸ１）−（ＤＸ６−ＤＸ３）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向と直交する方向に当たるＸ軸について面の形状を定義する式を１回微分した値をそれぞれＤＸaxis、ＤＸ１、ＤＸ４、ＤＸ５、ＤＸ６、ＤＸ３とする。
【請求項５】
物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする請求項１記載の結像光学系。
｜ＤＹ4 ｜＜０．４                                ・・・（４−１）
ただし、ＤＹ4 ＝（ＤＹ４−ＤＹ１）−（ＤＹ６−ＤＹ３）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向に当たるＹ軸について面の形状を定義する式を１回微分した値をそれぞれＤＹaxis、ＤＹ１、ＤＹ４、ＤＹ５、ＤＹ６、ＤＹ３とする。
【請求項６】
物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする請求項１記載の結像光学系。
｜ＤＸmax5｜＜０．５                              ・・・（５−１）
ただし、ＤＸmax5＝（ＤＸ５−ＤＸaxis）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向と直交する方向に当たるＸ軸について面の形状を定義する式を１回微分した値をそれぞれＤＸaxis、ＤＸ１、ＤＸ４、ＤＸ５、ＤＸ６、ＤＸ３とする。
【請求項７】
物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする請求項１記載の結像光学系。
｜ＤＹmax6｜＜０．５                              ・・・（６−１）
ただし、ＤＹmax6＝（ＤＹ５−ＤＹaxis）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向に当たるＹ軸について面の形状を定義する式を１回微分した値をそれぞれＤＹaxis、ＤＹ１、ＤＹ４、ＤＹ５、ＤＹ６、ＤＹ３とする。
【請求項８】
物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする請求項１記載の結像光学系。
ＤＤＸmax7＜０．５  （１／ｍｍ）                  ・・・（７−１）
ただし、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、この有効領域内でのＸ方向の曲率の最大値と最小値の差をＤＤＸmax7とする。
【請求項９】
物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする請求項１記載の結像光学系。
ＤＤＹmax8＜０．５  （１／ｍｍ）                  ・・・（８−１）
ただし、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、この有効領域内でのＹ方向の曲率の最大値と最小値の差をＤＤＹmax8とする。
【請求項１０】
物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする請求項１記載の結像光学系。
０．０１＜ＤＤxy9 ＜４０                          ・・・（９−１）
ただし、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向に直交するＸ軸についての面の形状を定義する式の曲率をそれぞれＤＤＸ２、ＤＤＸ１、ＤＤＸ４、ＤＤＸ５、ＤＤＸ６、ＤＤＸ３とし、同じく面の偏心方向に当たるＹ軸についての面の形状を定義する式の曲率をＤＤＹ２、ＤＤＹ１、ＤＤＹ４、ＤＤＹ５、ＤＤＹ６、ＤＤＹ３とし、ＤＤxy9 ＝｜ＤＤＸｎ｜／｜ＤＤＹｎ｜（ｎは１〜６）とする。
【発明の詳細な説明】
【０００１】
【発明の属する技術分野】
本発明は、結像光学系に関し、特に、小型の反射偏心結像光学系に関する。
【０００２】
【従来の技術】
従来、小型の反射偏心光学系の周知なものとして、特開昭５９−８４２０１号のものは、シリンドリカル反射面による１次元受光レンズの発明であり、２次元の撮像はできない。また、特開昭６２−１４４１２７号のものは、上記の発明の球面収差を低減するために、同一シリンドリカル面を２回反射に使うものである。
【０００３】
また、特開昭６２−２０５５４７号のものは、反射面の形状として非球面反射を使うことを示しているが、反射面の形状には言及していない。さらに、米国特許第３，８１０，２２１号及び米国特許第３，８３６，９３１号の２件は、何れもレフレックスカメラのファインダー光学系に回転対称非球面鏡と対称面を１面しか持たない面を持ったレンズ系を用いた例を示している。ただし、対称面を１面しか持たない面は、観察虚像の傾きを補正する目的で利用されている。
【０００４】
また、特開平１−２５７８３４号（米国特許第５，２７４，４０６号）のものは、背面投影型テレビにおいて、像歪みを補正するために、対称面を１面しか持たない面を反射鏡に使用した例を示しているが、スクリーンへの投影には投影レンズ系が使われ、像歪みの補正に対称面を１面しか持たない面が使われている。
【０００５】
また、特開平７−３３３５５１号には、観察光学系としてアナモルフィック面とトーリック面を使用した裏面鏡タイプの偏心光学系の例が示されている。しかし、像歪みを含め収差の補正が不十分で撮像光学系には使用できない。
【０００６】
以上の何れの先行技術も、対称面を１面しか持たない面を使い、折り返し光路に裏面鏡として使用したものではない。
【０００７】
【発明が解決しようとする課題】
従来、結像光学系において、広い画角と収差が良好に補正された像歪みのない光学系を構成するには、回転対称光学系ではレンズの構成枚数が多くなり、大型で高価にならざるを得なかった。
【０００８】
本発明は従来技術のこのような問題点に鑑みてなされたものであり、その目的は、広い撮像領域がとれ、かつ、光路を折り畳むことによって、光線収差が良好に補正された像歪みのない小型で光学部品点数の少ない結像光学系を提供することである。
【０００９】
【課題を解決するための手段】
上記目的を達成する本発明の結像光学系は、少なくとも偏心光学系を有し、物体からの光を撮像素子面上に結像させる結像光学系において、
前記偏心光学系はプリズムで構成され、
前記プリズムの光学面が第１透過面、第２透過面、第１反射面及び第２反射面からなり、
前記物体からの光が、前記第１透過面、前記第１反射面、前記第２反射面、前記第２透過面の順に進行すると共に、前記第１透過面から前記第１反射面に到る光路と、前記第２反射面から前記第２透過面に到る光路が交差するように、前記各光学面が形成され、
前記第１反射面、前記第２反射面及び前記第２透過面を自由曲面で構成し、前記第１透過面を前記物体側に向かって凹形状の球面で構成し、
前記第１透過面よりも前記物体側、あるいは前記第１反射面の位置に絞りが配置され、
前記自由曲面は、その面内及び面外共に回転対称軸を有せず、しかも、対称面を１つのみ有する面対称自由曲面からなり、
前記面対称自由曲面の対称面が、物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、Ｙ−Ｚ面若しくはそれと平行な面上に存在することを特徴とするものである。
【００１１】
以下、本発明において上記の構成をとる理由と作用について説明する。
本発明において、対称面を１面しか持たない面（以下、ＴＦＣ面と呼ぶ。）を利用したことについて、以下に詳しく説明する。
【００１２】
まず、以下の説明において、用いる座標系について説明する。
物体側から瞳中心を通り結像位置中心に到達する像中心の主光線が、偏心光学系の第１面に交差するまでの直線によって定義される光軸をＺ軸とし、このＺ軸と直交し、かつ、偏心光学系を構成する各面の偏心面内の軸をＹ軸と定義し、上記光軸と直交し、かつ、上記Ｙ軸と直交する軸をＸ軸とする。
また、光線の追跡方向は、瞳位置から結像位置に向かう順追跡で説明する。
【００１３】
今までの収差補正について概観すると、
（１）一般に、少ない面数で収差を良好に補正するためには、回転対称光学系においては、非球面が一般に用いられる。同様に、反射光学系においても球面反射鏡で発生する球面収差を放物面等の回転対称非球面を用いることにより発生させないようにしている。つまり、回転対称光学系においては、回転対称非球面を用いることは周知の事実である。
【００１４】
（２）また、マンジャン鏡（Ａ．Ｍａｎｇｉｎ，１８７６）のように、裏面反射鏡にすることによって球面収差の発生を少なくすることができることも周知の事実である。
【００１５】
これは、裏面鏡の焦点距離ｆは、裏面鏡の曲率半径ｒと媒質の屈折率ｎから、
ｆ＝−ｒ／２ｎ
で表され、同じ焦点距離ｆを得ようとした場合に、例えば１．５の屈折率のガラスで裏面鏡にすると、表面鏡に比べて曲率半径ｒが１．５倍大きくてすむ分、収差の発生も少なくてすむからである。
【００１６】
（３）一方、偏心して配置された凹面鏡は、偏心により反射鏡に光線が当たる部分での上述のＹ軸方向の光線とＸ軸方向の光線との焦点位置がずれ、軸上でも非点収差が発生する。
【００１７】
この軸上の非点収差の発生をなくすためには、本出願人の特願平６−２１１０６７号又は特願平６−２５６６７６号に述べられているように、方向により曲率の異なるアナモルフィック面又はトーリック面等が用いられる。
【００１８】
（４）次に、像面歪曲について説明する。凹面鏡と凸面鏡の配置が像面湾曲収差に良い効果を発揮することは、本出願人の特願平５−２６４８２８号に詳しく述べられており、傾いた凹面鏡が発生する収差については、特願平６−１２７４５３号等に述べられている。また、特願平６−２５６６７６号でも、凹面鏡を２枚で構成することによって像面湾曲を良好に補正することに成功している。
【００１９】
（５）また、像歪みについては、特開平５−３０３０５６号に述べられているように、Ｘ軸方向、Ｙ軸方向の正負によって曲率が異なる面で構成することが良い結果を得る。また、用途が異なるが、背面投影テレビにおいて、特開平１−２５７８３４号では、本発明で使用しているＴＦＣ面同様のフレネル反射面が使われているが、その目的は台形の像歪みを補正するために、投影光学系でスクリーンに実像を投影する際にその反射面で反射し、このときに台形像歪みのみを補正する構成で使われている。また、傾いた凹面鏡により発生する台形や弓なりの像歪みに関しては、特開平５−３０３０５６号に述べられている。
【００２０】
上記各発明で欠けている要素は、撮像光学系又は結像光学系として十分な収差性能を、折り返し光路の光学系を使い、かつ、上記の各構成の組み合わせで収差を補正する試みがなされていなかことである。
【００２１】
回転対称光学系による収差については、レンズに入射する光線の挙動が回転軸である光軸からの高さのみによって変化し、これによって収差が発生する。これをいかに補正するかである。しかし、偏心光学系においては、光線が面に当たる高さも位置も偏心方向の面の上下で大きく異なってくる。つまり、回転対称性が全くないのに、回転対称球面を基本に置いたシリンドリカル面やトーリック面、アナモルフィック面では、この複雑な光線の挙動に対応し収差補正をすることができなくなってしまう。
【００２２】
ここで、本発明において用いる自由曲面とは以下の式で定義されるものである。
0003869041.tif 000002
上式において、偏心方向をＹ方向とするとき、Ｘの奇数次項は全て０である。
【００２３】
この定義式により、以下に説明する各収差の補正を良好に補正することが可能となり、本発明のように傾いて配置された反射鏡により結像光学系として使用できる程の屈折力（パワー）を付加することが可能となった。
【００２４】
まず、基準となる面は２乗の項の放物面を元にしているので、球面収差が発生し難い。次に、Ｙの奇数次項とＸの奇数次項が存在するので、Ｘ軸の任意の位置でＹ軸方向の傾きを与えることができる。
【００２５】
ＹとＸのそれぞれに対して、奇数次と偶数次が掛け合わさっているので、各軸の正負に対して自由な曲率を与えることができる。
【００２６】
以上のように様々な自由度があり、偏心して配置された反射面として使用した場合に、パワーを持たせても、収差を十分に補正することがこの定義式を使うことによって初めて可能となった。
【００２７】
この自由度が収差補正にいかに重要であるかを説明する。傾いてなおかつパワーを持った反射鏡の場合には、回転非対称な像面湾曲が発生する。この像面湾曲は、瞳を通過しＸ軸方向に広がりを持った光線は、偏心して配置された反射鏡に当たって反射されるが、光線が当たって以降の像面までの距離は、裏面鏡の焦点距離の式
ｆ＝−ｒ／２ｎ
に従い、光線が当たった部分の曲率ｒと屈折率ｎからｒ／２ｎである。つまり、偏心して配置された凹面鏡の反射後の光線の進む方向に対して、傾いた反射鏡と平行に光軸に対して傾いて、なおかつ、反射鏡の曲率ｒのｒ／２ｎの湾曲した像面を形成する。
【００２８】
自由曲面は、上述のように、Ｙ軸の正負によって曲率を任意に変えることが可能なＹの奇数次項を持っているため、偏心して配置された凹面鏡で発生する回転非対称な像面湾曲、特に像面の傾きを補正することに対して有効に作用する。
【００２９】
次に、回転対称な像面湾曲について説明する。反射鏡により一般的に反射面に沿った像面湾曲が発生する。本発明の場合は、上に述べたように、凹面鏡と対をなした凸面鏡により像面湾曲を補正できる構成も可能であるし、凹面を２面使用してそれぞれで発生する像面湾曲を少なくする工夫をしている。しかし、従来の面形状では面数も少ないために、完全には補正されない。この補正し切れない像面湾曲を補正するためには、任意の場所で任意の曲率を与えることができる自由曲面は収差補正上好ましい。これは、Ｙ軸の正負によって曲率をＹの奇数次項とＸの２乗以上の組み合わせにより可能となる。
【００３０】
さらに、任意の場所の非点収差の発生を少なくするためには、Ｘ軸方向の曲率とＹ軸方向の曲率の差を任意に変えることにより補正することが可能となる。これは、Ｘの２乗項とＹの２乗項が独立に存在していることにより可能となる。
【００３１】
さらに好ましくは、光学部品製作性を考慮すると、自由曲面は必要最低限にすることが望ましい。そこで、少なくとも３つの面の中、１つの面を上記自由曲面とし、他の面を平面もしくは球面又は偏心した回転対称面にすることによって、製作性を上げることが可能となる。
【００３２】
さらに好ましくは、以下の条件を満足することによって、広画角で瞳径が大きく、かつ、収差補正の良好に行われた結像光学系を提供することができる。
【００３３】
上述の定義に従って、Ｘ軸、Ｙ軸、Ｚ軸とするとき、瞳位置中心を射出し、像を形成する結像光学系に入射する光線の最大画角の光線が各面と交差する領域を有効領域と定義し、次の表−１に示すような光線▲１▼〜▲６▼を追跡する。
【００３４】
0003869041.tif 000003
【００３５】
すなわち、画面中心の光軸方向の軸上主光線を▲２▼とし、上側中心画角の光線を▲１▼、右上画角の光線を▲４▼、右中心画角の光線を▲５▼、右下画角の光線を▲６▼、下側中心画角の光線を▲３▼とする。これら光線▲１▼〜▲６▼が光学系の各面に当たる部分の面形状を記述する式（Ｚ軸を面の軸として表した式、あるいは、その面を偏心がないとして、Ｚ＝ｆ（Ｘ，Ｙ）の形式で表した式）の１次微分と曲率の値を求める。つまり、１次微分は面の定義座標に対する光線が当たる部分の傾きを表し、曲率は光線の当たる部分の部分的曲率を表す。これは、光学系の各面が偏心して配置された場合には、面形状を定義する座標は任意の位置に定義でき、前記座標中心での曲率等を記述しても、その部分を光線が通過していないことがあり、面形状を限定したことにならないためである。
【００３６】
ところで、まず、ＴＦＣ面の軸上主光線▲２▼が当たる位置のＸ方向の部分的曲率について説明する。本発明において、面の部分的曲率を規定する意味は、いくら収差が良好に補正されるＴＦＣ面であっても、余りに面のパワーが大きすぎると、収差発生が大きくなりすぎ、他の面で補正することが不可能になるからである。Ｘ方向の主光線▲２▼が当たる部分の曲率をＲＸとすると、
｜ＲＸ｜＜０．５  （１／ｍｍ）                    ・・・（Ａ−１）
なる条件を満足することが重要である。この偏心して配置された反射面の曲率が上限の０．５を越えない場合には、対称面を１面しか持たない面で反射面を構成することによって、収差発生の少ない光学系を構成することが可能となる。この上限０．５を越えている反射面では、偏心による各種収差の発生が極めて大きくなり、他の面で補正することが難しくなる。
【００３７】
さらに好ましくは、
｜ＲＸ｜＜０．１  （１／ｍｍ）                    ・・・（Ａ−２）
なる条件を満足するときに、対称面を１面しか持たない面で反射面を構成することが、偏心による収差を発生させないために重要となる。
【００３８】
さらに好ましくは、
｜ＲＸ｜＜０．０５（１／ｍｍ）                    ・・・（Ａ−３）
なる条件を満足するときに、対称面を１面しか持たない面で反射面を構成することが、偏心による収差を発生させないために重要となる。
【００３９】
次に、ＴＦＣ面の軸上主光線▲２▼が当たる位置のＹ方向の部分的曲率について説明する。本発明において、面の部分的曲率を規定する意味は、いくら収差が良好に補正されるＴＦＣ面であっても、余りに面のパワーが大きすぎると、収差発生が大きくなりすぎ、他の面で補正することが不可能になるからである。Ｙ方向の主光線▲２▼が当たる部分の曲率をＲＹとすると、
｜ＲＹ｜＜０．５  （１／ｍｍ）                    ・・・（Ｂ−１）
なる条件を満足することが重要である。この偏心して配置された反射面の曲率が、上限の０．５を越えない場合には、対称面を１面しか持たない面で反射面を構成することによって、収差発生の少ない光学系を構成することが可能となる。この上限０．５を越えている反射面では、偏心による各種収差の発生が極めて大きくなり、他の面で補正することが難しくなる。
【００４０】
さらに好ましくは、
｜ＲＹ｜＜０．１  （１／ｍｍ）                    ・・・（Ｂ−２）
なる条件を満足するときに、対称面を１面しか持たない面で反射面を構成することが、偏心による収差を発生させないために重要となる。
【００４１】
さらに好ましくは、
｜ＲＹ｜＜０．０５（１／ｍｍ）                    ・・・（Ｂ−３）
なる条件を満足するときに、対称面を１面しか持たない面で反射面を構成することが、偏心による収差を発生させないために重要となる。
【００４２】
次に、反射面において、Ｘ軸方向の１回微分の値ＤＸが、瞳中心を通り、像面中心に達する主光線▲２▼が当たる位置の傾きＤＸaxisと曲率ＲＸに対して、ＤＸmax1＝ＭＡＸ（（ＤＸ−ＤＸaxis）／ＲＸ）とするとき、以下の条件を満足することが重要となる。
【００４３】
｜ＤＸmax1｜＜１００．０  （ｍｍ）                ・・・（１−１）
この条件は、反射面のＸ方向の傾きを表し、上記条件式の上限の１００．０を越えると、各像高の主光線に対し反射面の傾きが大きくなりすぎ、偏心による収差発生が大きくなりすぎ、他の面で補正することが不可能になる。
【００４４】
さらに好ましくは、
｜ＤＸmax1｜＜１０．０    （ｍｍ）                ・・・（１−２）
なる条件式を満足することが重要である。
【００４５】
さらに好ましくは、
｜ＤＸmax1｜＜６．０      （ｍｍ）                ・・・（１−３）
なる条件式を満足することが重要である。
【００４６】
上記条件式（１−１）〜（１−３）は共に、広い画角において良好な観察像を得るために必要なものである。特に条件式（１−２）は１０度以上の半画角において重要となり、条件式（１−３）は１５度以上の半画角において満足することが好ましい。
【００４７】
次に、反射面において、面の偏心方向の傾き、つまり、Ｙ軸方向の１回微分の値ＤＹが、瞳中心を通り、像面中心に達する主光線▲２▼が当たる位置の傾きＤＹaxisと曲率ＲＹに対して、ＤＹmax2＝ＭＡＸ（（ＤＹ−ＤＹaxis）／ＲＹ）とするとき、以下の条件を満足することが重要となる。
【００４８】
｜ＤＹmax2｜＜１００．０  （ｍｍ）                ・・・（２−１）
この条件は、反射面のＹ方向の傾きを表し、上記条件式の上限の１００．０を越えると、各像高の主光線に対し反射面の傾きが大きくなりすぎ、偏心による収差発生が大きくなりすぎ、他の面で補正することが不可能になる。
【００４９】
さらに好ましくは、
｜ＤＹmax2｜＜１０．０    （ｍｍ）                ・・・（２−２）
なる条件式を満足することが重要である。
【００５０】
さらに好ましくは、
｜ＤＹmax2｜＜６．０      （ｍｍ）                ・・・（２−３）
なる条件式を満足することが重要である。
【００５１】
上記条件式（２−１）〜（２−３）は共に、広い画角において良好な観察像を得るために必要なものである。特に条件式（２−２）は１０度以上の半画角において重要となり、条件式（２−３）は１５度以上の半画角において満足することが好ましい。
【００５２】
次に、Ｘ方向の最大画角の主光線▲４▼と▲６▼が偏心して配置された反射面に当たる位置でのＸ方向の傾きと、Ｘ方向画角ゼロの主光線▲１▼と▲３▼がその反射面に当たる位置でのＸ方向の傾きとの差それぞれを（ＤＸ４−ＤＸ１）、（ＤＸ６−ＤＸ３）とし、その差をＤＸ3 ＝（ＤＸ４−ＤＸ１）−（ＤＸ６−ＤＸ３）とするとき、
｜ＤＸ3 ｜＜０．４                                ・・・（３−１）
なる条件を満足することが好ましい。
【００５３】
上記条件式（３−１）は、Ｘ方向の周辺画像のＸ方向の歪みを表している。この条件式の上限の０．４を越えると、観察像の左右端がＸ軸方向に変化し、台形の像歪みが大きくなり、他の面で補正することが不可能となり、歪んだ観察像になってしまう。
【００５４】
さらに好ましくは、
｜ＤＸ3 ｜＜０．２                                ・・・（３−２）
なる条件式を満足することが好ましい。これは、特に１０度以上の半画角を確保しようとした場合に、像歪みの少ない観察像を観察する場合に重要となる。
【００５５】
さらに好ましくは、
｜ＤＸ3 ｜＜０．１                                ・・・（３−３）
なる条件式を満足することが好ましい。これは、特に１５度以上の半画角を確保しようとした場合に、像歪みの少ない観察像を観察する場合に重要となる。
【００５６】
さらに好ましくは、
｜ＤＸ3 ｜＜０．０５                              ・・・（３−４）
これは、特に２０度以上の半画角を確保しようとした場合に、像歪みのほとんどない観察像を観察する場合に重要となる。
【００５７】
次に、Ｘ方向の最大画角の主光線▲４▼と▲６▼が偏心して配置された反射面に当たる位置でのＹ方向の傾きと、Ｘ方向画角ゼロの主光線▲１▼と▲３▼がその反射面に当たる位置でのＹ方向の傾きとの差それぞれを（ＤＹ４−ＤＹ１）、（ＤＹ６−ＤＹ３）とし、その差をＤＹ4 ＝（ＤＹ４−ＤＹ１）−（ＤＹ６−ＤＹ３）とするとき、
｜ＤＹ4 ｜＜０．４                                ・・・（４−１）
なる条件を満足することが好ましい。
【００５８】
上記条件式（４−１）は、Ｘ方向の周辺画像のＹ方向の歪みを表している。この条件式の上限の０．４を越えると、観察像の左右端がＹ軸方向に変化し、周辺画像が弓なりになる像歪みが大きくなり、他の面で補正することが不可能になり、歪んだ観察像になってしまう。
【００５９】
さらに好ましくは、
｜ＤＹ4 ｜＜０．２                                ・・・（４−２）
なる条件式を満足することが好ましい。これは、特に１０度以上の半画角を確保しようとした場合に、像歪みの少ない観察像を観察する場合に重要となる。
【００６０】
さらに好ましくは、
｜ＤＹ4 ｜＜０．１                                ・・・（４−３）
なる条件式を満足することが好ましい。これは、特に１５度以上の半画角を確保しようとした場合に、像歪みの少ない観察像を観察する場合に重要となる。
【００６１】
さらに好ましくは、
｜ＤＹ4 ｜＜０．０５                              ・・・（４−４）
これは、特に２０度以上の半画角を確保しようとした場合に、像歪みのほとんどない観察像を観察する場合に重要となる。
【００６２】
次に、画面中心のＸ方向の１回微分値ＤＸaxisとＸ軸上のＸ方向最大画角の右端におけるＸ方向の１回微分値ＤＸ５の差（ＤＸ５−ＤＸaxis）をＤＸmax5とするとき、反射面のＤＸmax5の値が、
｜ＤＸmax5｜＜０．５                              ・・・（５−１）
なる条件式を満足することが重要である。
【００６３】
これは、画面中心を通る左右方向の直線、例えば水平線等が弓なりに湾曲して観察される像歪みとなる。この数値が上限の０．５を越えると、弓なりの像歪みが下に凸に大きく発生し、他の面で補正することが不可能となってしまう。
【００６４】
さらに好ましくは、
｜ＤＸmax5｜＜０．１                              ・・・（５−２）
なる条件式を満足することが重要であり、特に１０度を越える半画角の場合には、この条件を満足することが重要である。なお、上限については、上記条件式（５−１）と同じである。
【００６５】
さらに好ましくは、
｜ＤＸmax5｜＜０．０５                            ・・・（５−３）
なる条件式を満足することが重要であり、特に１５度を越える半画角の場合には、この条件を満足することが重要である。なお、上限については、上記条件式（５−１）と同じである。
【００６６】
さらに好ましくは、
｜ＤＸmax5｜＜０．０２                            ・・・（５−４）
なる条件式を満足することが重要であり、特に２０度を越える半画角の場合にはこの条件を満足することが重要である。なお、上限については上記条件式（５−１）と同じである。
【００６７】
次に、画面中心のＹ方向の１回微分値ＤＹaxisとＸ軸上のＸ方向最大画角の右端におけるＹ方向の１回微分値ＤＹ５の差（ＤＹ５−ＤＹaxis）をＤＹmax6とするとき、反射面のＤＹmax6の値が、
｜ＤＹmax6｜＜０．５                              ・・・（６−１）
なる条件式を満足することが重要である。これは、画面中心を通る左右方向の直線、例えば水平線等が弓なり湾曲して観察される像歪みとなる。この数値が上限の０．５を越えると、弓なりの像歪みが下に凸に大きく発生し、他の面で補正することが不可能となってしまう。
【００６８】
さらに好ましくは、
｜ＤＹmax6｜＜０．１                              ・・・（６−２）
なる条件式を満足することが重要であり、特に１０度を越える半画角の場合には、この条件を満足することが重要である。なお、上限については、上記条件式（６−１）と同じである。
【００６９】
さらに好ましくは、
｜ＤＹmax6｜＜０．０５                            ・・・（６−３）
なる条件式を満足することが重要であり、特に１５度を越える半画角の場合には、この条件を満足することが重要である。なお、上限については、上記条件式（６−１）と同じである。
【００７０】
さらに好ましくは、
｜ＤＹmax6｜＜０．０２                            ・・・（６−４）
なる条件式を満足することが重要であり、特に２０度を越える半画角の場合にはこの条件を満足することが重要である。なお、上限については上記条件式（６−１）と同じである。
【００７１】
次に、ＴＦＣ面のＸ方向の部分的曲率の有効域内での最大値と最小値の差をＤＤＸmax7とするとき、以下の条件式を満たすことが重要である。
【００７２】
ＤＤＸmax7＜０．５  （１／ｍｍ）                  ・・・（７−１）
この条件は、Ｘ軸方向に曲率が変化し難いことが像面湾曲、特にＸ軸方向の像面湾曲を少なくするために重要であることを示す。偏心して配置された反射面のＸ方向の曲率の差が上限の０．５を越えると、像面湾曲が大きくなり、平坦な像面を得ることが難しくなる。
【００７３】
さらに好ましくは、
ＤＤＸmax7＜０．１  （１／ｍｍ）                  ・・・（７−２）
なる条件を満足すると、周辺まで良好に補正された像を得ることが可能となる。
【００７４】
さらに好ましくは、
ＤＤＸmax7＜０．０５（１／ｍｍ）                  ・・・（７−３）
なる条件を満足すると、周辺までさらに良好に補正された像を得ることが可能となる。
【００７５】
次に、ＴＦＣ面のＹ方向の部分的曲率の有効域内での最大値と最小値の差をＤＤＹmax8とするとき、以下の条件式を満たすことが重要である。
【００７６】
ＤＤＹmax8＜０．５  （１／ｍｍ）                  ・・・（８−１）
この条件は、Ｙ軸方向に曲率が変化し難いことが像面湾曲、特にＹ軸方向の像面湾曲を少なくするために重要であることを示す。偏心して配置された反射面のＹ方向の曲率の差が上限の０．５を越えると、像面湾曲が大きくなり、平坦な像面を得ることが難しくなる。
【００７７】
さらに好ましくは、
ＤＤＹmax8＜０．１  （１／ｍｍ）                  ・・・（８−２）
なる条件を満足すると、周辺まで良好に補正された像を得ることが可能となる。
【００７８】
さらに好ましくは、
ＤＤＹmax8＜０．０５（１／ｍｍ）                  ・・・（８−３）
なる条件をともに満足すると、周辺までさらに良好に補正された像を得ることが可能となる。
【００７９】
次に、有効面内の各光線が面に当たる位置での｜Ｘ方向の曲率／Ｙ方向の曲率｜＝｜ＤＤＸｎ｜／｜ＤＤＹｎ｜（ｎは主光線の番号▲１▼〜▲６▼に対応して１〜６）をＤＤxy9 とするとき、反射面の有効領域全てでＤＤxy9 が、
０．０１＜ＤＤxy9 ＜４０                          ・・・（９−１）
なる条件式を満足することが重要である。
【００８０】
これは、有効領域のＸ方向の結像位置とＹ方向の結像位置の比に相当し、非点収差が良好に補正されているための条件である。下限の０．０１を越えると、Ｘ方向の光線がＹ方向の光線に対して光学系側により近く結像してしまい、非点収差の発生が大きくなる。逆に、上限の４０を越えると、Ｘ方向の光線がＹ方向の光線に対して光学系より遠くに結像してしまい、非点収差が逆に大きく発生してしまい、共に他の面で補正することが不可能となってしまう。ただし、トーリック面等のＹ軸とＸ軸の両方に対して対称性を持つ面の場合は本条件内に入るが、コマ収差と像歪みの発生が大きくなってしまう。
【００８１】
さらに好ましくは、
０．１＜ＤＤxy9 ＜２０                            ・・・（９−２）
なる条件式を満足することが重要であり、特に２０度を越える半画角の場合には、この条件を満足することが重要である。
【００８２】
さらに好ましくは、
０．３＜ＤＤxy9 ＜１０                            ・・・（９−３）
なる条件式を満足することが重要であり、特に２５度を越える半画角の場合には、この条件を満足することが重要である。
【００８３】
さらに好ましくは、
０．５＜ＤＤxy9 ＜６                              ・・・（９−４）
なる条件式を満足することが重要であり、特に３０度を越える半画角の場合には、この条件を満足することが重要である。
【００８４】
【発明の実施の形態】
次に、本発明の結像光学系の実施例１〜６について説明する。この中、実施例１〜３、５は本発明の参考例である。実施例１〜６の断面図をそれぞれ図１〜図６に示す。後記する数値データにおいて、面番号は物体面から結像面に至る順追跡の順での光学系を構成する面の番号で示してあるが、物体面と結像面を入れ換えて逆追跡の面番号としても光学的に等価である。また、面間隔は前の面と次の面の間の軸上主光線に沿って測った長さを（ただし、反射後には符号が反転する。）、偏心は入射軸上主光線に対する面の定義軸のティルト角（°）（反時計周りを正にとる。）を示す。屈折率は実施例１〜３は波長６６０ｎｍに対する値を、実施例４〜６はｄ線に対する値を示す。なお、長さの単位はｍｍである。
【００８５】
また、後記する数値データにおいて、自由曲面の面の形状は、前記の式（ａ）により定義され、そのＹ軸とＺ軸は図の紙面内にあり、このＹ−Ｚ面が対称面を１面しか持たない自由曲面の対称面となる。なお、データの記載されていない次数に関する項は０である。
【００８６】
さて、実施例１〜６は何れも、五角プリズム状の屈折率が１より大きい媒質からなるプリズム体を形成する４つの光学面の中の、２つの反射面を含む２ないし３つの光学面を対称面を１面しか持たない自由曲面で構成し、残りの２面ないし１面を球面で構成することによって、このプリズム体に結像性能を持たせたものである。
【００８７】
すなわち、実施例１、２は、それぞれ図１、図２に断面を示すように、第１面１、第２面２、第３面３、第４面４からなる五角プリズム状のプリズム体５であり、第１面１と第４面４が屈折面、第２面２と第３面３が反射面であり、第１面１は球面、第２面２、第３面３、第４面４は自由曲面からなる。カバーガラス６の裏面に設けられた物体面Ｏからの光線は、カバーガラス６を経てプリズム体５の第１面１から入射し、第２面２と第３面３で順に反射され、反射光は第１面１から第２面２に到る光線と交差して第４面４からプリズム体５の外へ射出し、像面Ｉに到る。これらの実施例は、水平画角（紙面に垂直方向の画角）５０度、垂直画角（紙面内の画角）３７度、共軸系に換算しての焦点距離６ｍｍ、瞳径１．７８５７ｍｍの結像光学系である。
【００８８】
実施例３は、図３に断面を示すように、第１面１、第２面２、第３面３、第４面４からなる五角プリズム状のプリズム体５であり、第１面１と第４面４が屈折面、第２面２と第３面３が反射面であり、第１面１、第４面は球面、第２面２、第３面３は自由曲面からなる。物体面Ｏからの光線は、プリズム体５の第１面１から入射し、第２面２と第３面３で順に反射され、反射光は第１面１から第２面２に到る光線と交差して第４面４からプリズム体５の外へ射出し、カバーガラス６を経てその裏面に設けられた像面Ｉに到る。この実施例は、水平画角（紙面に垂直方向の画角）５０度、垂直画角（紙面内の画角）３７度、共軸系に換算しての焦点距離６ｍｍ、瞳径１．７８５７ｍｍの結像光学系である。
【００８９】
実施例４は、図４に断面を示すように、第１面１、第２面２、第３面３、第４面４からなる五角プリズム状のプリズム体５であり、第１面１と第４面４が屈折面、第２面２と第３面３が反射面であり、第１面１は球面、第２面２、第３面３、第４面４は自由曲面からなる。この光学系は投影光学系であり、無限遠からの物体光は、プリズム体５の第１面１から入射し、第２面２と第３面３で順に反射され、反射光は第１面１から第２面２に到る光線と交差して第４面４からプリズム体５の外へ射出し、カバーガラス６を経てその裏面に設けられた像面Ｉに到る。この実施例は、物体高Ｘ軸方向（紙面に垂直方向）１．４４７ｍｍ、Ｙ軸方向（紙面内の方向）１．０９１５ｍｍ、物体側ＮＡ（開口数）０．０３５７の投影光学である。
【００９０】
実施例５は、図５に断面を示すように、第１面１、第２面２、第３面３、第４面４からなる五角プリズム状のプリズム体５であり、第１面１と第４面４が屈折面、第２面２と第３面３が反射面であり、第１面１、第２面２、第３面３は自由曲面、第４面４は球面からなる。この光学系は投影光学系であり、無限遠からの物体光は、プリズム体５の第１面１から入射し、第２面２と第３面３で順に反射され、反射光は第１面１から第２面２に到る光線と交差して第４面４からプリズム体５の外へ射出し、カバーガラス６を経てその裏面に設けられた像面Ｉに到る。この実施例は、物体高Ｘ軸方向（紙面に垂直方向）１．４４７ｍｍ、Ｙ軸方向（紙面内の方向）１．０９１５ｍｍ、物体側ＮＡ（開口数）０．０３５７の投影光学である。
【００９１】
実施例６は、図６に断面を示すように、第１面１、第２面２、第３面３、第４面４からなる五角プリズム状のプリズム体５であり、第１面１と第４面４が屈折面、第２面２と第３面３が反射面であり、第１面１は球面、第２面２、第３面３、第４面４は自由曲面球面からなる。この光学系は投影光学系であり、無限遠からの物体光は、別体の絞りを経て、プリズム体５の第１面１から入射し、第２面２と第３面３で順に反射され、反射光は第１面１から第２面２に到る光線と交差して第４面４からプリズム体５の外へ射出し、カバーガラス６を経てその裏面に設けられた像面Ｉに到る。この実施例は、物体高Ｘ軸方向（紙面に垂直方向）４．０２ｍｍ、Ｙ軸方向（紙面内の方向）３．０３ｍｍ、物体側ＮＡ（開口数）０．０１２９の投影光学である。
【００９２】
以下に、上記実施例１〜６の構成パラメータを示す。
0003869041.tif 000004
【００９３】
0003869041.tif 000005
【００９４】
0003869041.tif 000006
【００９５】
0003869041.tif 000007
【００９６】
0003869041.tif 000008
【００９７】
0003869041.tif 000009
【００９８】
次に、上記実施例２の横収差図を図７、図８に示す。これらの横収差図において、括弧内に示された数字は（水平画角（紙面に垂直方向の画角），垂直画角（紙面内の画角））を表し、その画角における横収差を示す。実施例６の同様の横収差図を図９、図１０に示す。
【００９９】
以下に、本発明の各実施例における前記条件式（Ａ−１）、（Ｂ−１）、（１−１）〜（９−１）に関するパラメータの値を示す（条件式（９−１）以外につては、上段が第１の反射面２、下段が第２の反射面３に関する値を示し、条件式（９−１）については、上段がそれぞれの反射面の最小値、下段が最大値を示す。）。
【０１００】
0003869041.tif 000010
0003869041.tif 000011
。
【０１０１】
以上の実施例では、前記定義式（ａ）の自由曲面で構成したが、あらゆる定義の曲面が使えることはいうまでもない。しかし、どのような定義式を用いようとも、本発明に示されている条件式を単独で、あるいは、組み合わせて満足しても、また、いくつかを満足することでも、収差の非常に良く補正された結像光学系を得られることはいうまでもない。なお、偏心を無視して面を定義する座標系の中心で規定される面の曲率、面の焦点距離等の従来の無偏心系で使われる条件式は、本発明のように各面が大きく偏心して配置されている場合には、なんら意味を持たない。
【０１０２】
以上の本発明の結像光学系は例えば次のように構成することができる。
〔１〕  少なくとも偏心光学系を有し、物体からの光を撮像素子面上に結像させる結像光学系において、
前記結像光学系が少なくとも１面の反射作用を有する反射面を備え、
前記反射面の少なくとも１面の面形状が、その面内及び面外共に回転対称軸を有せず、しかも、対称面を１つのみ有する面対称自由曲面からなることを特徴とする結像光学系。
【０１０３】
〔２〕  前記反射面が、物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、以下の条件（Ａ−１）を満足することを特徴とする上記〔１〕記載の結像光学系。
｜ＲＸ｜＜０．５  （１／ｍｍ）                    ・・・（Ａ−１）
ただし、ＲＸは前記反射面に前記軸上主光線が当たる部分のＸ方向の曲率である。
【０１０４】
〔３〕  前記反射面が、物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、以下の条件（Ｂ−１）を満足することを特徴とする上記〔１〕記載の結像光学系。
｜ＲＹ｜＜０．５  （１／ｍｍ）                    ・・・（Ｂ−１）
ただし、ＲＹは前記反射面に前記軸上主光線が当たる部分のＹ方向の曲率である。
【０１０５】
〔４〕  前記反射面が、物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、以下の条件（Ａ−１）及び（Ｂ−１）を満足することを特徴とする上記〔１〕記載の結像光学系。
｜ＲＸ｜＜０．５  （１／ｍｍ）                    ・・・（Ａ−１）
｜ＲＹ｜＜０．５  （１／ｍｍ）                    ・・・（Ｂ−１）
ただし、ＲＸ、ＲＹはそれぞれ前記反射面に前記軸上主光線が当たる部分のＸ方向、Ｙ方向の曲率である。
【０１０６】
〔５〕  前記反射面が以下の条件（Ａ−２）を満足する上記〔２〕又は〔４〕記載の結像光学系。
｜ＲＸ｜＜０．１                                  ・・・（Ａ−２）。
【０１０７】
〔６〕  前記反射面が以下の条件（Ａ−３）を満足する上記〔２〕又は〔４〕記載の結像光学系。
｜ＲＸ｜＜０．０５（１／ｍｍ）                    ・・・（Ａ−３）。
【０１０８】
〔７〕  前記反射面が以下の条件（Ｂ−２）を満足する上記〔３〕又は〔４〕記載の結像光学系。
｜ＲＹ｜＜０．１  （１／ｍｍ）                    ・・・（Ｂ−２）。
【０１０９】
〔８〕  前記反射面が以下の条件（Ｂ−３）を満足する上記〔３〕又は〔４〕記載の結像光学系。
｜ＲＹ｜＜０．０５（１／ｍｍ）                    ・・・（Ｂ−３）。
【０１１０】
〔９〕  前記面対称自由曲面の対称面が、物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、Ｙ−Ｚ面若しくはそれと平行な面上に存在することを特徴とする上記〔１〕から〔８〕の何れか１項記載の結像光学系。
【０１１１】
〔１０〕  前記反射面中で前記軸上主光線が反射される領域のＹ−Ｚ面内の反射屈折力、及び、Ｙ−Ｚ面に垂直な面内の反射屈折力の少なくとも一方が正であることを特徴とする上記〔２〕から〔９〕の何れか１項記載の結像光学系。
【０１１２】
〔１１〕  前記反射面中で前記軸上主光線が反射される領域のＹ−Ｚ面内の反射屈折力、及び、Ｙ−Ｚ面に垂直な面内の反射屈折力が共に正であることを特徴とする上記〔２〕から〔９〕の何れか１項記載の結像光学系。
【０１１３】
〔１２〕  物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする上記〔１〕から〔１１〕の何れか１項記載の結像光学系。
｜ＤＸmax1｜＜１００．０  （ｍｍ）                ・・・（１−１）
ただし、ＤＸmax1＝ＭＡＸ（（ＤＸ−ＤＸaxis）／ＲＸ）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向と直交する方向に当たるＸ軸について面の形状を定義する式を１回微分した値をそれぞれＤＸaxis、ＤＸ１、ＤＸ４、ＤＸ５、ＤＸ６、ＤＸ３とするとき、ＤＸはＤＸ１、ＤＸ４、ＤＸ５、ＤＸ６、ＤＸ３の値、ＲＸは前記反射面に前記軸上主光線が当たる部分のＸ方向の曲率とする。
【０１１４】
〔１３〕  物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする上記〔１〕から〔１２〕の何れか１項記載の結像光学系。
｜ＤＹmax2｜＜１００．０  （ｍｍ）                ・・・（２−１）
ただし、ＤＹmax2＝ＭＡＸ（（ＤＹ−ＤＹaxis）／ＲＹ）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向に当たるＹ軸について面の形状を定義する式を１回微分した値をそれぞれＤＹaxis、ＤＹ１、ＤＹ４、ＤＹ５、ＤＹ６、ＤＹ３とするとき、ＤＹはＤＹ１、ＤＹ４、ＤＹ５、ＤＹ６、ＤＹ３の値、ＲＹは前記反射面に前記軸上主光線が当たる部分のＹ方向の曲率とする。
【０１１５】
〔１４〕  物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする上記〔１〕から〔１３〕の何れか１項記載の結像光学系。
｜ＤＸ3 ｜＜０．４                                ・・・（３−１）
ただし、ＤＸ3 ＝（ＤＸ４−ＤＸ１）−（ＤＸ６−ＤＸ３）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向と直交する方向に当たるＸ軸について面の形状を定義する式を１回微分した値をそれぞれＤＸaxis、ＤＸ１、ＤＸ４、ＤＸ５、ＤＸ６、ＤＸ３とする。
【０１１６】
〔１５〕  物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする上記〔１〕から〔１４〕の何れか１項記載の結像光学系。
｜ＤＹ4 ｜＜０．４                                ・・・（４−１）
ただし、ＤＹ4 ＝（ＤＹ４−ＤＹ１）−（ＤＹ６−ＤＹ３）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向に当たるＹ軸について面の形状を定義する式を１回微分した値をそれぞれＤＹaxis、ＤＹ１、ＤＹ４、ＤＹ５、ＤＹ６、ＤＹ３とする。
【０１１７】
〔１６〕  物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする上記〔１〕から〔１５〕の何れか１項記載の結像光学系。
｜ＤＸmax5｜＜０．５                              ・・・（５−１）
ただし、ＤＸmax5＝（ＤＸ５−ＤＸaxis）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向と直交する方向に当たるＸ軸について面の形状を定義する式を１回微分した値をそれぞれＤＸaxis、ＤＸ１、ＤＸ４、ＤＸ５、ＤＸ６、ＤＸ３とする。
【０１１８】
〔１７〕  物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする上記〔１〕から〔１６〕の何れか１項記載の結像光学系。
｜ＤＹmax6｜＜０．５                              ・・・（６−１）
ただし、ＤＹmax6＝（ＤＹ５−ＤＹaxis）であり、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向に当たるＹ軸について面の形状を定義する式を１回微分した値をそれぞれＤＹaxis、ＤＹ１、ＤＹ４、ＤＹ５、ＤＹ６、ＤＹ３とする。
【０１１９】
〔１８〕  物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする上記〔１〕から〔１７〕の何れか１項記載の結像光学系。
ＤＤＸmax7＜０．５  （１／ｍｍ）                  ・・・（７−１）
ただし、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、この有効領域内でのＸ方向の曲率の最大値と最小値の差をＤＤＸmax7とする。
【０１２０】
〔１９〕  物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする上記〔１〕から〔１８〕の何れか１項記載の結像光学系。
ＤＤＹmax8＜０．５  （１／ｍｍ）                  ・・・（８−１）
ただし、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、この有効領域内でのＹ方向の曲率の最大値と最小値の差をＤＤＹmax8とする。
【０１２１】
〔２０〕  物体側から瞳中心を通り前記撮像素子の結像位置中心に到達する軸上主光線が前記結像光学系の第１面に交差するまでの直線によって定義される光軸をＺ軸とし、前記Ｚ軸と直交し、かつ、前記結像光学系を構成する各面の偏心面内の軸をＹ軸とし、前記Ｚ軸と前記Ｙ軸とに直交する軸をＸ軸と定義したときに、前記反射面が次の条件を満足することを特徴とする上記〔１〕から〔１９〕の何れか１項記載の結像光学系。
０．０１＜ＤＤxy9 ＜４０                          ・・・（９−１）
ただし、Ｙ軸方向を上下方向として、結像画面中心の軸上主光線、上側中心画角の主光線、右上画角の主光線、右中心画角の主光線、右下画角の主光線、下側中心画角の主光線が対象面と交差する領域を有効領域と定義し、これら６つの主光線が対象面と当たる部分の面の偏心方向に直交するＸ軸についての面の形状を定義する式の曲率をそれぞれＤＤＸ２、ＤＤＸ１、ＤＤＸ４、ＤＤＸ５、ＤＤＸ６、ＤＤＸ３とし、同じく面の偏心方向に当たるＹ軸についての面の形状を定義する式の曲率をＤＤＹ２、ＤＤＹ１、ＤＤＹ４、ＤＤＹ５、ＤＤＹ６、ＤＤＹ３とし、ＤＤxy9 ＝｜ＤＤＸｎ｜／｜ＤＤＹｎ｜（ｎは１〜６）とする。
【０１２２】
〔２１〕  前記反射面が屈折率（ｎ）が１よりも大きい（ｎ＞１）媒質を有する裏面反射鏡から構成されていることを特徴とする上記〔１〕から〔２０〕の何れか１項記載の結像光学系。
【０１２３】
【発明の効果】
以上の説明から明らかなように、本発明によると、対称面を１つのみ有する面対称自由曲面からなる反射面を用いることにより、広い撮像領域がとれ、かつ、光路を折り畳むことによって、光線収差が良好に補正された像歪みのない小型で光学部品点数の少ない結像光学系が得られる。
【図面の簡単な説明】
【図１】本発明の結像光学系の実施例１の断面図である。
【図２】本発明の結像光学系の実施例２の断面図である。
【図３】本発明の結像光学系の実施例３の断面図である。
【図４】本発明の結像光学系の実施例４の断面図である。
【図５】本発明の結像光学系の実施例５の断面図である。
【図６】本発明の結像光学系の実施例６の断面図である。
【図７】本発明の実施例２の横収差図の一部を示す図である。
【図８】本発明の実施例２の横収差図の残りを示す図である。
【図９】本発明の実施例６の横収差図の一部を示す図である。
【図１０】本発明の実施例６の横収差図の残りを示す図である。
【符号の説明】
１…第１面１
２…第１面２
３…第１面３
４…第１面４
５…プリズム体（結像光学系）
６…カバーガラス
Ｏ…物体面
Ｉ…像面
【図１】
0003869041.tif 000012
【図２】
0003869041.tif 000013
【図３】
0003869041.tif 000014
【図４】
0003869041.tif 000015
【図５】
0003869041.tif 000016
【図６】
0003869041.tif 000017
【図７】
0003869041.tif 000018
【図８】
0003869041.tif 000019
【図９】
0003869041.tif 000020
【図１０】
0003869041.tif 000021